(57)【要約】      （修正有）【課題】タッチパネルに表示される画像とは異なる画像を外部に表示する場合に、ソフトウェアキーボードの利便性を向上させる情報処理装置、ソフトウェアキーボード表示方法及びプログラムを提供する。【解決手段】携帯型情報装置１０は、限定ＯＳＫ（Ｏｎ  Ｓｃｒｅｅｎ  Ｋｅｙｂｏａｒｄ）と、限定ＯＳＫに比べてサイズが大きいフルＯＳＫ１２Ｂとを選択的にタッチパネル１１に表示させる。タッチパネル１１に表示される画像とは異なる画像が外部画像表示機器（タブレットＰＣ５０）に表示される場合、タッチパネル１１にソフトウェアキーボード１２としてフルＯＳＫ１２Ｂが選択的に表示される。【選択図】図５
2017097649.tif 000002
【特許請求の範囲】
【請求項１】
タッチパネルとされた画像表示部を有する情報処理装置であって、
前記画像表示部とは異なる画像表示領域に画像を表示させる外部画像表示制御手段と、
第１ソフトウェアキーボートと前記第１ソフトウェアキーボードに比べてサイズが大きい第２ソフトウェアキーボートとを選択的に前記画像表示部に表示させるキーボード表示制御手段と、
を備え、
前記キーボード表示制御手段は、前記外部画像表示制御手段が前記画像表示部に表示される画像とは異なる画像を前記画像表示領域に表示させる場合、前記画像表示部にソフトウェアキーボードとして前記第２ソフトウェアキーボードを選択的に表示する情報処理装置。
【請求項２】
前記第２ソフトウェアキーボートは、前記第１ソフトウェアキーボードに比べて入力キーの種類が多い請求項１記載の情報処理装置。
【請求項３】
前記キーボード表示制御手段は、前記画像表示部に前記第１ソフトウェアキーボートを表示している状態で、前記外部画像表示制御手段が前記画像表示部に表示される画像とは異なる画像を前記画像表示領域に表示させる場合、前記画像表示部に表示させている前記第１ソフトウェアキーボートを前記第２ソフトウェアキーボードに切り替える
請求項１又は請求項２記載の情報処理装置。
【請求項４】
前記キーボード表示制御手段は、前記画像表示部に対して所定の操作が行われた場合、前記画像表示部に表示される前記第１ソフトウェアキーボートと前記第２ソフトウェアキーボードとを切り換える請求項１から請求項３の何れか１項記載の情報処理装置。
【請求項５】
前記第２ソフトウェアキーボードは、同じ種類の複数の入力キーを含む集まりである入力キー群が前記第１ソフトウェアキーボードに追加されたソフトウェアキーボードである請求項１から請求項４の何れか１項記載の情報処理装置。
【請求項６】
前記第１ソフトウェアキーボードは、数字キーが表示されず、前記第２ソフトウェアキーボードは、数字キーが表示される請求項１から請求項５の何れか１項記載の情報処理装置。
【請求項７】
前記第２ソフトウェアキーボードのレイアウトは、変更可能とされる請求項１から請求項６の何れか１項記載の情報処理装置。
【請求項８】
タッチパネルとされた画像表示部を有し、前記画像表示部とは異なる画像表示領域に画像を表示させる機能を有し、第１ソフトウェアキーボートと前記第１ソフトウェアキーボードに比べてサイズが大きい第２ソフトウェアキーボートとを選択的に前記画像表示部に表示する情報処理装置のソフトウェアキーボード表示方法であって、
前記画像表示部に表示される画像とは異なる画像が前記画像表示領域に表示される場合、前記画像表示部にソフトウェアキーボードとして第２ソフトウェアキーボードを選択的に表示するソフトウェアキーボード表示方法。
【請求項９】
タッチパネルとされた画像表示部を備えるコンピュータを、
前記画像表示部とは異なる画像表示領域に画像を表示する外部画像表示制御手段と、
第１ソフトウェアキーボートと前記第１ソフトウェアキーボードに比べてサイズが大きい第２ソフトウェアキーボートとを選択的に前記画像表示部に表示させるキーボード表示制御手段と、
して機能させ、
前記画像表示部に表示される画像とは異なる画像が前記画像表示領域に表示される場合、前記画像表示部にソフトウェアキーボードとして第２ソフトウェアキーボードを選択的に表示するプログラム。
【発明の詳細な説明】
【技術分野】
【０００１】
本発明は、情報処理装置、ソフトウェアキーボード表示方法、及びプログラムに関するものである。
【背景技術】
【０００２】
近年、タブレット型パーソナルコンピュータ（以下「タブレット型ＰＣ」という。）、スマートフォン、ＰＤＡ（Personal  Digital  Assistance）、電子書籍閲覧端末等の携帯型の情報処理装置である携帯型情報装置が普及している。携帯型情報装置の多くには、画像表示部としてタッチパネルが採用されている。
このような携帯型情報装置は、特許文献１に開示されているように、ソフトウェアキーボード（On  Screen  Keyboard：ＯＳＫや、スクリーンキーボードともいう。）が使用されている。ソフトウェアキーボードは、タッチパネルに表示される入力キーを操作することにより入力処理を可能とするものである。
【０００３】
ソフトウェアキーボードは、タッチパネルの画面の広範囲を隠してしまうと他の表示情報が見づらくなるため、タッチパネルの表示領域に対する専有面積が小さくなるように表示される。
【先行技術文献】
【特許文献】
【０００４】
【特許文献１】特開２０１４−１７６０１９号公報
【発明の概要】
【発明が解決しようとする課題】
【０００５】
携帯型情報装置は、タッチパネルに表示される画像とは異なる画像を接続されている外部の機器に表示させる場合がある。外部の機器とは、携帯型情報装置から外部出力端子や無線を介して出力される画像を表示する画像表示装置やプロジェクター等である。なお、プロジェクターは携帯型情報装置に内蔵されているものもある。
このように、携帯型情報装置の外部に画像を出力する場合、ユーザーは外部の機器に表示される画像を目視しながら携帯型情報装置に表示されているソフトウェアキーボードに対してキー入力を行う、所謂タッチタイピングを行うことが多い。
【０００６】
しかしながら、タッチパネルでの専有面積が小さいソフトウェアキーボードは、タッチタイピングに不向きである。
また、ソフトウェアキーボードの横幅がタッチパネルの横幅と同等まで拡大されていても、ソフトウェアキーボードがタッチパネルの表示領域を専有しないように数字キーが非表示である等、フルキーボード仕様でなく利便性が悪い。このようなソフトウェアキーボードの場合、入力したい文字や数字に応じてレイアウトを切り替える必要が生じ、タッチタイピングが阻害される。
【０００７】
本発明は、このような事情に鑑みてなされたものであって、タッチパネルに表示される画像とは異なる画像を外部に表示する場合に、ソフトウェアキーボードの利便性を向上させる、情報処理装置、ソフトウェアキーボード表示方法、及びプログラム、を提供することを目的とする。
【課題を解決するための手段】
【０００８】
上記課題を解決するために、本発明の情報処理装置、ソフトウェアキーボード表示方法、及びプログラムは以下の手段を採用する。
【０００９】
本発明の第一態様に係る情報処理装置は、タッチパネルとされた画像表示部を有する情報処理装置であって、前記画像表示部とは異なる画像表示領域に画像を表示させる外部画像表示制御手段と、第１ソフトウェアキーボートと前記第１ソフトウェアキーボードに比べてサイズが大きい第２ソフトウェアキーボートとを選択的に前記画像表示部に表示させるキーボード表示制御手段と、を備え、前記キーボード表示制御手段は、前記外部画像表示制御手段が前記画像表示部に表示される画像とは異なる画像を前記画像表示領域に表示させる場合、前記画像表示部にソフトウェアキーボードとして前記第２ソフトウェアキーボードを選択的に表示する。
【００１０】
本発明の第二態様に係るソフトウェアキーボード表示方法は、タッチパネルとされた画像表示部を有し、前記画像表示部とは異なる画像表示領域に画像を表示させる機能を有し、第１ソフトウェアキーボードと前記第１ソフトウェアキーボードに比べてサイズが大きい第２ソフトウェアキーボードとを選択的に前記画像表示部に表示する情報処理装置のソフトウェアキーボード表示方法であって、前記画像表示部に表示される画像とは異なる画像が前記画像表示領域に表示される場合、前記画像表示部にソフトウェアキーボードとして第２ソフトウェアキーボードと選択的に表示する。
【００１１】
本発明の第三態様に係るプログラムは、タッチパネルとされた画像表示部を備えるコンピュータを、前記画像表示部とは異なる画像表示領域に画像を表示する外部画像表示制御手段と、第１ソフトウェアキーボートと前記第１ソフトウェアキーボードに比べてサイズが大きい第２ソフトウェアキーボートとを選択的に前記画像表示部に表示させるキーボード表示制御手段と、して機能させ、前記画像表示部に表示される画像とは異なる画像が前記画像表示領域に表示される場合、前記画像表示部にソフトウェアキーボードとして第２ソフトウェアキーボードを選択的に表示する。
【発明の効果】
【００１２】
本発明によれば、タッチパネルに表示される画像とは異なる画像を外部に表示する場合に、ソフトウェアキーボードの利便性を向上させる、という効果を有する。
【図面の簡単な説明】
【００１３】
【図１】本発明の実施形態に係る携帯型情報装置の概略外観図である。
【図２】本発明の実施形態に係る携帯型情報装置のハードウェアの構成を示す概略図である。
【図３】本発明の実施形態に係るソフトウェアキーボードのレイアウト図である。
【図４】本発明の実施形態に係る携帯型情報装置のキーボード表示機能に関する機能ブロック図である。
【図５】本発明の実施形態に係る携帯型情報装置のタッチパネルにフルＯＳＫが表示された状態を示す概略外観図である。
【図６】本発明の実施形態に係るキーボード表示処理の流れを示すフローチャートである。
【図７】本発明の他の実施形態に係る携帯型情報装置のハードウェアの構成を示す概略図である。
【発明を実施するための形態】
【００１４】
以下に、本発明に係る情報処理装置、ソフトウェアキーボード表示方法、及びプログラムの一実施形態について、図面を参照して説明する。なお、本実施形態では、情報処理装置を携帯型情報装置とする。
【００１５】
図１は、本実施形態に係る携帯型情報装置１０の概略外観図である。本実施形態に係る携帯型情報装置１０は、一例として、物理的なキーボードを持たないタブレット型ＰＣである。
【００１６】
携帯型情報装置１０は、タッチパネル１１とされた画像表示部を有する。
携帯型情報装置１０のユーザーは、タッチパネル１１を介して携帯型情報装置１０を操作する。例えば、ユーザーが文字入力を行う場合には、タッチパネル１１にソフトウェアキーボード１２を表示させ、ソフトウェアキーボード１２を介して文字入力を行う。なお、以下の説明において、ソフトウェアキーボード１２をＯＳＫ（On  Screen  Keyboard）ともいう。
【００１７】
携帯型情報装置１０は、タッチパネル１１とは異なる画像表示領域に画像を表示可能とされている。この画像表示領域とは、例えば、他の携帯型情報装置、液晶ディスプレイ、及びプロジェクターによって画像が写し出されるスクリーン等である。
【００１８】
携帯型情報装置１０は、例えば側面に外部出力端子としてＵＳＢ（Universal  Serial  Bus）ポート１３を備える。ＵＳＢポート１３は、例えば外部に画像を表示させる場合等、携帯型情報装置１０に他の機器（以下「外部画像表示機器」という。）を接続する場合に用いられる。
また、画像を機器に表示させる外部出力端子として、例えば、ＶＧＡ（Video  Graphics  Array）端子等、ＵＳＢ以外の端子が備えられてもよい。また、携帯型情報装置１０は、有線に限らず、無線通信によって外部画像表示機器に画像を表示させてもよい。
なお、携帯型情報装置１０がＵＳＢポート１３のみを有し、外部画像表示機器が画像入力端子としてＶＧＡ端子のみを有している場合もある。このような場合、携帯型情報装置１０と外部画像表示機器とはＵＳＢとＶＧＡとを変換する変換コネクタを介して接続される。
以下の説明では、外部出力端子としてＵＳＢポート１３を使用する一例として説明する。
【００１９】
図２は、携帯型情報装置１０のハードウェアの構成を示す概略図である。
携帯型情報装置１０は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、入力コントローラ２６、フラッシュメモリ２７、通信デバイス２８、電源回路２９、及び前述のＵＳＢポート１３を備えており、各部はバス３０を介して直接または間接的に接続されている。なお、タッチパネル１１は、ＬＣＤ２３とタッチセンサ２５を含んで構成される。
【００２０】
ＣＰＵ２０は、バス３０を介して接続されたフラッシュメモリ２７に格納されたＯＳ（Operating  System）により携帯型情報装置１０全体の制御を行うとともに、フラッシュメモリ２７に格納された各種のプログラムに基づいて処理を実行する機能を有する。
【００２１】
ＲＯＭ２１は、ＢＩＯＳ（Basic  Input/Output  System）や各種データ等を格納している。
【００２２】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００２３】
ＬＣＤ２３は、ＣＰＵ２０の制御に従って、グラフィクスアダプタ２４からのビデオ信号を画像として表示する。
【００２４】
グラフィクスアダプタ２４は、ＣＰＵ２０の制御に従って、表示情報をビデオ信号に変換し、変換したビデオ信号をＬＣＤ２３に出力する。
【００２５】
タッチセンサ２５は、例えば、静電容量方式のタッチセンサであり、ＬＣＤ２３に対するユーザーのタッチ位置を検出して、入力コントローラ２６に出力する。タッチセンサ２５は、ＬＣＤ２３の画面に表示される各種メニュー、アイコン、ボタン、およびキーボード等の画面オブジェクトを選択して入力操作を行ったり、テキストの入力操作や、スクロールやスワイプ等の画面操作を行うためのものである。なお、ＬＣＤ２３及びタッチセンサ２５等によってタッチパネル１１が構成される。
【００２６】
入力コントローラ２６は、プロセッサがＲＯＭ等に格納されたプログラムを実行することにより各種処理を行い、タッチセンサ２５の動作を制御する。
【００２７】
フラッシュメモリ２７は、例えば、Ｗｉｎｄｏｗｓ（登録商標），ｉＯＳ（登録商標）、Ａｎｄｒｏｉｄ（登録商標）等の携帯型情報装置１０全体の制御を行うためのＯＳ、周辺機器類をハードウェア操作するための各種ドライバ、特定業務に向けられたアプリケーション、及び各種データやファイル等を格納する機能を有する。なお、携帯型情報装置１０は、フラッシュメモリ２７に替わる記憶手段としてＨＤＤ（Hard  Disk  Drive）等、他の記憶手段を備えてもよい。
【００２８】
通信デバイス２８は、ネットワークを介して他のデバイスとの通信を制御する。
【００２９】
電源回路２９は、ＡＣアダプタ、インテリジェント電池、インテリジェント電池を充電するための充電器、およびＤＣ／ＤＣコンバータ等を備えており、ＣＰＵ２０の制御に従って、各デバイスに電力を供給する。
【００３０】
本実施形態に係る携帯型情報装置１０は、タッチパネル１１に表示されるソフトウェアキーボード１２として、図３に示されるように、限定ソフトウェアキーボード（以下「限定ＯＳＫ」という。）１２Ａ、及びフルソフトウェアキーボード（以下「フルＯＳＫ」という。）１２Ｂの２種類のレイアウトを有する。この限定ＯＳＫ１２ＡとフルＯＳＫ１２Ｂの２種類のレイアウトを示すデータは、フラッシュメモリ２７に記憶されている。
なお、以下の説明において、同じ種類の複数の入力キーを含む集まりを入力キー群という。例えば、Ａ〜Ｚを含む文字キーの集合、０〜９を含む数字キーの集合、Ｆ１〜Ｆ１２を含むファンクションキーの集合が各々入力キー群であり、各々文字キー群３０Ａ、数字キー群３０Ｂ、ファンクションキー群３０Ｃという。
【００３１】
限定ＯＳＫ１２Ａは、入力キーの種類が限定されたキーボードである。限定ＯＳＫ１２Ａは、文字キー群３０Ａは表示されるものの、数字キー群３０Ｂやファンクションキー群３０Ｃは表示されない。このような限定ＯＳＫ１２Ａで数字を入力する場合やファンクションキーに対する入力を行う場合には、限定ＯＳＫ１２Ａのレイアウトを切り換えて数字キー群３０Ｂやファンクションキー群３０Ｃを表示させる必要がある。
【００３２】
フルＯＳＫ１２Ｂは、限定ＯＳＫ１２Ａに比べて入力キーの種類が多い。フルＯＳＫ１２Ｂは、例えば、９７キーや１０１キーであり、図３に示すように、数字キー群３０Ｂと共にファンクションキー群３０Ｃが表示される。なお、これに限らず、フルＯＳＫ１２Ｂは、限定ＯＳＫ１２Ａに対して少なくとも数字キー群３０Ｂが追加されたソフトウェアキーボードであればよい。
【００３３】
また、フルＯＳＫ１２Ｂのレイアウトは、任意に変更可能とされてもよい。すなわち、フルＯＳＫ１２Ｂのキー配列や表示されるキーの種類は、ユーザー毎にカスタマイズ可能とされ、カスタマイズされたフルＯＳＫ１２Ｂのレイアウトは各々フラッシュメモリ２７に記憶される。
例えば、フルＯＳＫ１２Ｂは、図３に示すように、数字キー群３０Ｂが文字キー群３０Ａの上段に直線状に配列されるのではなく、数字キー群３０Ｂがテンキーとして表示されてもよく、このテンキーの位置はユーザーによって設定されてもよい。また、フルＯＳＫ１２Ｂには、数字キー群３０Ｂの他にユーザーが設定した１又は複数のショートカットキーや、複数の特殊キーが入力キー群として表示されてもよい。
【００３４】
フルＯＳＫ１２Ｂはタッチパネル１１に表示された場合、限定ＯＳＫ１２Ａに比べて入力キーの種類が多い。限定ＯＳＫ１２ＡとフルＯＳＫ１２Ｂとを比較すると、個々のキーの大きさが同じ場合には、限定ＯＳＫ１２Ａに比べて入力キーの種類が多いため、フルＯＳＫ１２Ｂは、その全体のサイズが相対的に大きく、タッチパネル１１の表示面積に占める割合が大きい。このため、フルＯＳＫ１２Ｂは、タッチパネル１１の表示領域を広く専有する。ここでいう専有とは、限定ＯＳＫ１２Ａの表示サイズがタッチタイピングを行い易いサイズであればよく、例えば、フルＯＳＫ１２Ｂの全画面表示である。
一方、限定ＯＳＫ１２Ａはタッチパネル１１に表示された場合、フルＯＳＫ１２Ｂに比べて小型であり、タッチパネル１１の表示面積に占める割合が小さい。すなわち、限定ＯＳＫ１２Ａは、図１に示すように、タッチパネル１１の表示領域を専有する割合は小さく、携帯型情報装置１０は限定ＯＳＫ１２Ａとは異なる他の画像も同時に広く表示可能である。
【００３５】
本実施形態に係る携帯型情報装置１０は、限定ＯＳＫ１２ＡとフルＯＳＫ１２Ｂとを選択的に表示するキーボード表示機能を有する。
【００３６】
図４は、携帯型情報装置１０が有するキーボード表示機能に関する機能ブロック図である。
【００３７】
フラッシュメモリ２７は、限定ＯＳＫ１２Ａのレイアウトを示す限定ＯＳＫレイアウトデータ１２Ａｄ、及びフルＯＳＫ１２Ｂのレイアウトを示すフルＯＳＫレイアウトデータ１２Ｂｄを記憶している。
【００３８】
ＣＰＵ２０は、画像表示制御部４０、外部画像表示制御部４１、及びキーボード表示制御部４２を備える。
【００３９】
画像表示制御部４０は、タッチパネル１１や外部画像表示機器に表示させる画像を示す画像データをフラッシュメモリ２７から読み出し、グラフィクスアダプタ２４、外部画像表示制御部４１、及びキーボード表示制御部４２へ出力する。なお、読み出される画像データは、ユーザーの操作によって決定される。
【００４０】
外部画像表示制御部４１は、画像表示制御部４０から出力された画像データを、ＵＳＢポート１３を介して外部画像表示機器に出力することで、外部画像表示機器に画像を表示させる。なお、外部画像表示制御部４１は、タッチパネル１１に表示される画像と同じ画像を外部画像表示機器に表示させる同時表示だけでなく、タッチパネル１１に表示される画像とは異なる画像を外部画像表示機器に表示させる機能を有する。
【００４１】
キーボード表示制御部４２は、限定ＯＳＫ１２ＡとフルＯＳＫ１２Ｂとを選択的にタッチパネル１１に表示させる機能を有する。
【００４２】
キーボード表示制御部４２は、タッチパネル１１に表示される画像とは異なる画像が外部画像表示機器に表示される場合、タッチパネル１１にソフトウェアキーボード１２としてフルＯＳＫ１２Ｂを選択的に表示する。この場合、キーボード表示制御部４２は、フラッシュメモリ２７からフルＯＳＫ１２Ｂのレイアウトデータを読み出し、グラフィクスアダプタ２４を介して、ＬＣＤ２３にフルＯＳＫ１２Ｂを表示させる。
一方、タッチパネル１１に表示される画像とは異なる画像が外部画像表示機器に表示されない場合、キーボード表示制御部４２は、タッチパネル１１にソフトウェアキーボード１２として限定ＯＳＫ１２Ａを選択的に表示する。この場合、キーボード表示制御部４２は、フラッシュメモリ２７から限定ＯＳＫ１２Ａのレイアウトデータを読み出し、グラフィクスアダプタ２４を介して、ＬＣＤ２３に限定ＯＳＫ１２Ａを表示させる。
なお、タッチパネル１１に表示される画像とは異なる画像が外部画像表示機器に表示されない場合とは、ＵＳＢポート１３に外部画像表示機器が接続されていない場合、又はタッチパネル１１に表示される画像と同じ画像が外部画像表示機器に同時表示されている場合である。
【００４３】
また、キーボード表示制御部４２は、キーボード切替部４３及びジェスチャー判定部４４を備える。
【００４４】
キーボード切替部４３は、タッチパネル１１に限定ＯＳＫ１２Ａが表示されている状態で、外部画像表示制御部４１がタッチパネル１１に表示される画像とは異なる画像を外部画像表示機器に表示する場合、タッチパネル１１に表示されている限定ＯＳＫ１２ＡをフルＯＳＫ１２Ｂに切り替える。
【００４５】
ジェスチャー判定部４４は、タッチパネル１１に対して所定の操作（以下「切替ジェスチャー」という。）が行われた場合、タッチパネル１１に表示される限定ＯＳＫ１２ＡとフルＯＳＫ１２Ｂとを切り換える。
より具体的には、ジェスチャー判定部４４は、タッチパネル１１に限定ＯＳＫ１２Ａが表示されている状態で、タッチパネルに対して所定の切替ジェスチャー（例えばズームインジェスチャー）が行われた場合、表示されている限定ＯＳＫ１２ＡをフルＯＳＫ１２Ｂへ切り替える。また、ジェスチャー判定部４４は、タッチパネル１１にフルＯＳＫ１２Ｂが表示されている状態で、タッチパネル１１に対して所定の切替ジェスチャー（例えばズームアウトジェスチャー）が行われた場合、表示されているフルＯＳＫ１２Ｂを限定ＯＳＫ１２Ａへ切り替える。
【００４６】
フルＯＳＫ１２Ｂから限定ＯＳＫ１２Ａへ切り替える場合の切替ジェスチャーは、ズームアウトジェスチャーとされ、限定ＯＳＫ１２ＡからフルＯＳＫ１２Ｂへ切り替える場合の切替ジェスチャーは、ズームインジェスチャーとされる。このように、指の動作が逆で対になるジェスチャーが切換ジェスチャーとされる。このため、切替ジェスチャーは、ズームアウトジェスチャーとズームインジェスチャーに限らず、例えば、タッチパネル１１上で指を左方向又は右方向へ移動させるジェスチャーや、指を上方向又は下方向へ移動させるジェスチャー等、他の対になるジェスチャーによってフルＯＳＫ１２Ｂと限定ＯＳＫ１２Ａとが切り替えられてもよい。
なお、これに限らず、フルＯＳＫ１２Ｂと限定ＯＳＫ１２Ａとを切り替える場合、切替ジェスチャーは、同じジェスチャーであってもよい。
【００４７】
図５は、携帯型情報装置１０に外部画像表示機器が接続され、タッチパネル１１にフルＯＳＫ１２Ｂが表示された状態を示す概略外観図である。
図５の例では、外部画像表示機器として、携帯型情報装置１０のＵＳＢポート１３には、タブレット型ＰＣ５０が接続されている。そして、このタブレット型ＰＣ５０の画像表示領域であるタッチパネル５１には、携帯型情報装置１０のタッチパネル１１に表示される画像とは異なる画像が表示される。
タッチパネル１１に表示されるフルＯＳＫ１２Ｂは、限定ＯＳＫ１２Ａに比べて、タッチパネル１１の画面を占める領域が大きく、数字キーやファンクションキーも文字キーと同時に表示される。このため、フルＯＳＫ１２Ｂによって、ユーザーはタッチタイピングを行い易くなる。
【００４８】
図６は、キーボード表示機能を実行する場合に、ＣＰＵ２０によって実行されるキーボード表示処理の流れを示すフローチャートである。キーボード表示処理に係るプログラムはフラッシュメモリ２７の所定領域に予め記憶されている。
なお、限定ＯＳＫ１２ＡとフルＯＳＫ１２Ｂとの切り替えは、表１に示されるように、外部画像表示機器の非接続又は接続の状態と“１”又は“０”とされる強制小型フラグとの組み合わせによって決定される。
【００４９】
【表１】
2017097649.tif 000003
【００５０】
強制小型フラグが“０”の場合とは、タッチパネル１１に表示される画像とは異なる画像が外部画像表示機器に表示される場合である。
強制小型フラグが“１”の場合とは、タッチパネル１１に表示される画像と同じ画像が外部画像表示機器に表示される場合、又は外部画像表示機器に画像が表示されない場合である。
【００５１】
まず、ステップ１００では、強制小型フラグを“０”とする。なお、このステップ１００が行われる場合とは、例えば、携帯型情報装置１０の電源がオンとされた場合である。
【００５２】
次のステップ１０２では、外部画像表示機器がＵＳＢポート１３に接続されているか否かが判定され、肯定判定の場合はステップ１０４へ移行する。一方、否定判定の場合はステップ１１２へ移行する。
【００５３】
ステップ１０４では、強制小型フラグが“１”であるか否かを判定し、肯定判定の場合はステップ１１２へ移行し、否定判定の場合はステップ１０６へ移行する。
【００５４】
ステップ１０６では、外部画像表示機器が接続され、かつ強制小型フラグが“０”であるため、フルＯＳＫ１２Ｂが選択され、タッチパネル１１に表示されるソフトウェアキーボード１２はフルＯＳＫ１２Ｂとされる。
【００５５】
携帯型情報装置１０のタッチパネル１１にフルＯＳＫ１２Ｂが表示されることによって、携帯型情報装置１０はソフトウェアキーボード専用の機器として機能させることができる。すなわち、外部画像表示機器はモニタとして機能し、携帯型情報装置１０は、外部画像表示機器に表示される画像（文字）を編集するための入力装置として機能する。
このため、ユーザーは、タッチタイピングを行い易くなる。また、フルＯＳＫ１２Ｂでは、数字入力を行う場合に、限定ＯＳＫ１２Ａのようにレイアウトの切り替えを行う必要が無い。このため、タイピングの際にユーザーは手をホームポジションから移動させる必要が無くなるので、ソフトウェアキーボード１２の利便性が向上する。
【００５６】
次のステップ１０８では、切換ジェスチャーがタッチパネル１１に行われたか否かを判定し、肯定判定の場合はステップ１１０へ移行する一方、否定判定の場合はステップ１０２へ戻る。
【００５７】
ステップ１１０では、強制小型フラグを“０”から“１”に変更し、ステップ１１２へ移行する。
【００５８】
ステップ１１２では、タッチパネル１１に表示されるソフトウェアキーボード１２は限定ＯＳＫ１２Ａとされる。
具体的には、ステップ１０２からステップ１１２へ移行した場合、外部画像表示機器が接続されず、かつ強制小型フラグが“０”であるため、タッチパネル１１に限定ＯＳＫ１２Ａが表示される。
一方、ステップ１１０からステップ１１２へ移行した場合、外部画像表示機器が接続されていても、強制小型フラグが“１”であるため、限定ＯＳＫ１２Ａが選択され、タッチパネル１１に表示されているフルＯＳＫ１２Ｂが限定ＯＳＫ１２Ａに切り換えられる。
【００５９】
次のステップ１１４では、切換ジェスチャーがタッチパネル１１に行われたか否かを判定し、肯定判定の場合はステップ１１６へ移行する一方、否定判定の場合はステップ１０２へ戻る。
【００６０】
ステップ１１６では、強制小型フラグを“０”とし、ステップ１０２へ移行する。
すなわち、外部画像表示機器が接続状態、かつ限定ＯＳＫ１２Ａが表示されている場合に、切換ジェスチャーが行われると、ステップ１１４、ステップ１１６、ステップ１０２、ステップ１０４の順で処理が行われてステップ１０６へ移行し、限定ＯＳＫ１２ＡからフルＯＳＫ１２Ｂへ切り替えられる。
一方、外部画像表示機器が非接続状態、かつ限定ＯＳＫ１２Ａが表示されている場合に、切換ジェスチャーが行われても、ステップ１１４、ステップ１１６、ステップ１０２、ステップ１１２の順で処理が行われるので、タッチパネル１１に表示されるソフトウェアキーボード１２は限定ＯＳＫ１２Ａのままである。
【００６１】
以上説明したように、本実施形態に係る携帯型情報装置１０は、タッチパネル１１に表示される画像とは異なる画像を外部画像表示機器に表示する場合、タッチパネル１１にソフトウェアキーボード１２として、限定ＯＳＫ１２Ａに比べてサイズが大きいフルＯＳＫ１２Ｂを選択的に表示する。
従って、本実施形態に係る携帯型情報装置１０は、タッチパネル１１に表示される画像とは異なる画像を外部画像表示機器に表示する場合に、ソフトウェアキーボード１２の利便性を向上できる。
【００６２】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００６３】
例えば、上記実施形態では、タッチパネル１１に表示される画像とは異なる画像を外部画像表示機器に表示する場合に、ソフトウェアキーボード１２を入力キーの種類が多いフルＯＳＫ１２Ｂとする形態について説明したが、本発明は、これに限定されるものではない。
携帯型情報装置１０は、外部画像表示機器に画像を表示する場合、タッチパネル１１に表示されるソフトウェアキーボード１２を外部画像表示機器に画像を表示しない場合のソフトウェアキーボードとレイアウトを同一とし、タッチパネル１１の表示領域をより広く専有するようにサイズを拡大したソフトウェアキーボートとしてもよい。
【００６４】
また、上記実施形態では、携帯型情報装置１０にＵＳＢポート１３を介して接続される外部画像表示機器に画像を表示させる形態について説明したが、本発明は、これに限定されるものではない。
例えば、図７に示すように、携帯型情報装置１０がプロジェクター６０を内蔵し、このプロジェクター６０が画像を写し出すスクリーンを画像表示領域とする形態としてもよい。この形態の場合、外部画像表示制御部４１は、ＵＳＢポート１３を介することなく、フラッシュメモリ２７に記憶されている画像データをプロジェクター６０に出力する。そして、キーボード表示制御部４２は、携帯型情報装置１０が備えるタッチパネル１１にフルＯＳＫ１２Ｂを表示させる。
また、携帯型情報装置１０が二つのタッチパネル１１を備える形態としてもよい。この形態の場合、２つのタッチパネル１１に対して各々異なる画像を表示する際、キーボード表示制御部４２は、一方のタッチパネル１１にフルＯＳＫ１２Ｂを表示させる。
【００６５】
また、上記実施形態で説明したキーボード表示処理の流れも一例であり、本発明の主旨を逸脱しない範囲内において不要なステップを削除したり、新たなステップを追加したり、処理順序を入れ替えたりしてもよい。
例えば、本実施形態に係るキーボード表示処理では、限定ＯＳＫ１２ＡとフルＯＳＫ１２Ｂとの切り替えを外部画像表示機器の接続状態と強制小型フラグとの組み合わせによって決定する形態について説明したが、本発明は、これに限定されるものではない。
例えば、強制小型フラグを用いることなく、他の処理によって限定ＯＳＫ１２ＡとフルＯＳＫ１２Ｂとの切り替えを行ってもよい。
【符号の説明】
【００６６】
１０    携帯型情報装置（情報処理装置）
１１    タッチパネル（画像表示部）
１２    ソフトウェアキーボード
１２Ａ  限定ＯＳＫ（第１ソフトウェアキーボード）
１２Ｂ  フルＯＳＫ（第２ソフトウェアキーボード）
４１    外部画像表示制御部（外部画像表示制御手段）
４２    キーボード表示制御部（キーボード表示制御手段）
５０    タブレット型ＰＣ
【図１】
2017097649.tif 000004
【図２】
2017097649.tif 000005
【図３】
2017097649.tif 000006
【図４】
2017097649.tif 000007
【図５】
2017097649.tif 000008
【図６】
2017097649.tif 000009
【図７】
2017097649.tif 000010
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
タッチパネルとされた画像表示部を有し、前記画像表示部及び外部画像表示機器に画像を表示する情報処理装置であって、
前記外部画像表示機器の画像表示領域に画像を表示させる外部画像表示制御手段と、
第１ソフトウェアキーボードと前記第１ソフトウェアキーボードに比べてサイズが大きい第２ソフトウェアキーボードとを選択的に前記画像表示部に表示させるキーボード表示制御手段と、
を備え、
前記キーボード表示制御手段は、前記画像表示部に前記第１ソフトウェアキーボードが表示されている状態で、前記外部画像表示制御手段が前記画像表示部に表示される画像とは異なる画像を前記画像表示領域に表示させるときに前記画像表示部に表示された前記第１ソフトウェアキーボードを前記第２ソフトウェアキーボードに切り替える情報処理装置。
【請求項２】
タッチパネルとされた画像表示部を有する情報処理装置であって、
前記画像表示部とは異なる画像表示領域に画像を表示させる外部画像表示制御手段と、
第１ソフトウェアキーボードと前記第１ソフトウェアキーボードに比べてサイズが大きい第２ソフトウェアキーボードとを選択的に前記画像表示部に表示させるキーボード表示制御手段と、
を備え、
前記キーボード表示制御手段は、前記画像表示部に前記第１ソフトウェアキーボードが表示されている状態で、前記外部画像表示制御手段が前記画像表示部に表示される画像とは異なる画像を前記画像表示領域に表示させるときに前記画像表示部に表示された前記第１ソフトウェアキーボードを前記第２ソフトウェアキーボードに切り替え、前記外部画像表示制御手段が前記画像表示部に表示される画像とは異なる画像を前記画像表示領域に表示させないときに前記画像表示部にソフトウェアキーボードとして前記第１ソフトウェアキーボードを選択的に表示する情報処理装置。
【請求項３】
前記第２ソフトウェアキーボードは、前記第１ソフトウェアキーボードに比べて入力キーの種類が多い請求項１又は請求項２記載の情報処理装置。
【請求項４】
前記キーボード表示制御手段は、前記画像表示部に対して所定の操作が行われた場合、前記画像表示部に表示される前記第１ソフトウェアキーボードと前記第２ソフトウェアキーボードとを切り換える請求項１から請求項３の何れか１項記載の情報処理装置。
【請求項５】
前記第２ソフトウェアキーボードは、同じ種類の複数の入力キーを含む集まりである入力キー群が前記第１ソフトウェアキーボードに追加されたソフトウェアキーボードである請求項１から請求項４の何れか１項記載の情報処理装置。
【請求項６】
前記第１ソフトウェアキーボードは、数字キーが表示されず、前記第２ソフトウェアキーボードは、数字キーが表示される請求項１から請求項５の何れか１項記載の情報処理装置。
【請求項７】
前記第２ソフトウェアキーボードのレイアウトは、変更可能とされる請求項１から請求項６の何れか１項記載の情報処理装置。
【請求項８】
タッチパネルとされた画像表示部及び外部画像表示機器に画像を表示し、前記外部画像表示機器の画像表示領域に画像を表示させる機能を有し、第１ソフトウェアキーボードと前記第１ソフトウェアキーボードに比べてサイズが大きい第２ソフトウェアキーボードとを選択的に前記画像表示部に表示する情報処理装置のソフトウェアキーボード表示方法であって、
前記画像表示部に前記第１ソフトウェアキーボードが表示されている状態で、前記画像表示部に表示される画像とは異なる画像が前記画像表示領域に表示されるときに前記画像表示部に表示された前記第１ソフトウェアキーボードを前記第２ソフトウェアキーボードに切り替えるソフトウェアキーボード表示方法。
【請求項９】
タッチパネルとされた画像表示部を有し、前記画像表示部とは異なる画像表示領域に画像を表示させる機能を有し、第１ソフトウェアキーボードと前記第１ソフトウェアキーボードに比べてサイズが大きい第２ソフトウェアキーボードとを選択的に前記画像表示部に表示する情報処理装置のソフトウェアキーボード表示方法であって、
前記画像表示部に前記第１ソフトウェアキーボードが表示されている状態で、前記画像表示部に表示される画像とは異なる画像が前記画像表示領域に表示されるときに前記画像表示部に表示された前記第１ソフトウェアキーボードを前記第２ソフトウェアキーボードに切り替え、前記画像表示部に表示される画像とは異なる画像を前記画像表示領域に表示させないときに前記画像表示部にソフトウェアキーボードとして前記第１ソフトウェアキーボードを選択的に表示するソフトウェアキーボード表示方法。
【請求項１０】
タッチパネルとされた画像表示部を有し、前記画像表示部及び外部画像表示機器に画像を表示するコンピュータを、
前記画像表示部とは異なる画像表示領域に画像を表示する外部画像表示制御手段と、
第１ソフトウェアキーボードと前記第１ソフトウェアキーボードに比べてサイズが大きい第２ソフトウェアキーボードとを選択的に前記画像表示部に表示させるキーボード表示制御手段と、
して機能させ、
前記画像表示部に前記第１ソフトウェアキーボードが表示されている状態で、前記画像表示部に表示される画像とは異なる画像が前記画像表示領域に表示されるときに前記画像表示部に表示された前記第１ソフトウェアキーボードを前記第２ソフトウェアキーボードに切り替えるプログラム。
【請求項１１】
タッチパネルとされた画像表示部を備えるコンピュータを、
前記画像表示部とは異なる画像表示領域に画像を表示する外部画像表示制御手段と、
第１ソフトウェアキーボードと前記第１ソフトウェアキーボードに比べてサイズが大きい第２ソフトウェアキーボードとを選択的に前記画像表示部に表示させるキーボード表示制御手段と、
して機能させ、
前記キーボード表示制御手段は、前記画像表示部に前記第１ソフトウェアキーボードが表示されている状態で、前記外部画像表示制御手段が前記画像表示部に表示される画像とは異なる画像を前記画像表示領域に表示させるときに前記画像表示部に表示された前記第１ソフトウェアキーボードを前記第２ソフトウェアキーボードに切り替え、前記外部画像表示制御手段が前記画像表示部に表示される画像とは異なる画像を前記画像表示領域に表示させないときに前記画像表示部にソフトウェアキーボードとして前記第１ソフトウェアキーボードを選択的に表示するプログラム。
【手続補正２】
【補正対象書類名】明細書
【補正対象項目名】０００９
【補正方法】変更
【補正の内容】
【０００９】
本発明の第一態様に係る情報処理装置は、タッチパネルとされた画像表示部を有し、前記画像表示部及び外部画像表示機器に画像を表示する情報処理装置であって、前記外部画像表示機器の画像表示領域に画像を表示させる外部画像表示制御手段と、第１ソフトウェアキーボードと前記第１ソフトウェアキーボードに比べてサイズが大きい第２ソフトウェアキーボードとを選択的に前記画像表示部に表示させるキーボード表示制御手段と、を備え、前記キーボード表示制御手段は、前記画像表示部に前記第１ソフトウェアキーボードが表示されている状態で、前記外部画像表示制御手段が前記画像表示部に表示される画像とは異なる画像を前記画像表示領域に表示させるときに前記画像表示部に表示された前記第１ソフトウェアキーボードを前記第２ソフトウェアキーボードに切り替える。
本発明の第二態様に係る情報処理装置は、タッチパネルとされた画像表示部を有する情報処理装置であって、前記画像表示部とは異なる画像表示領域に画像を表示させる外部画像表示制御手段と、第１ソフトウェアキーボードと前記第１ソフトウェアキーボードに比べてサイズが大きい第２ソフトウェアキーボードとを選択的に前記画像表示部に表示させるキーボード表示制御手段と、を備え、前記キーボード表示制御手段は、前記画像表示部に前記第１ソフトウェアキーボードが表示されている状態で、前記外部画像表示制御手段が前記画像表示部に表示される画像とは異なる画像を前記画像表示領域に表示させるときに前記画像表示部に表示された前記第１ソフトウェアキーボードを前記第２ソフトウェアキーボードに切り替え、前記外部画像表示制御手段が前記画像表示部に表示される画像とは異なる画像を前記画像表示領域に表示させないときに前記画像表示部にソフトウェアキーボードとして前記第１ソフトウェアキーボードを選択的に表示する。
【手続補正３】
【補正対象書類名】明細書
【補正対象項目名】００１０
【補正方法】変更
【補正の内容】
【００１０】
本発明の第三態様に係るソフトウェアキーボード表示方法は、タッチパネルとされた画像表示部及び外部画像表示機器に画像を表示し、前記外部画像表示機器の画像表示領域に画像を表示させる機能を有し、第１ソフトウェアキーボードと前記第１ソフトウェアキーボードに比べてサイズが大きい第２ソフトウェアキーボードとを選択的に前記画像表示部に表示する情報処理装置のソフトウェアキーボード表示方法であって、前記画像表示部に前記第１ソフトウェアキーボードが表示されている状態で、前記画像表示部に表示される画像とは異なる画像が前記画像表示領域に表示されるときに前記画像表示部に表示された前記第１ソフトウェアキーボードを前記第２ソフトウェアキーボードに切り替える。
本発明の第四態様に係るソフトウェアキーボード表示方法は、タッチパネルとされた画像表示部を有し、前記画像表示部とは異なる画像表示領域に画像を表示させる機能を有し、第１ソフトウェアキーボードと前記第１ソフトウェアキーボードに比べてサイズが大きい第２ソフトウェアキーボードとを選択的に前記画像表示部に表示する情報処理装置のソフトウェアキーボード表示方法であって、前記画像表示部に前記第１ソフトウェアキーボードが表示されている状態で、前記画像表示部に表示される画像とは異なる画像が前記画像表示領域に表示されるときに前記画像表示部に表示された前記第１ソフトウェアキーボードを前記第２ソフトウェアキーボードに切り替え、前記画像表示部に表示される画像とは異なる画像を前記画像表示領域に表示させないときに前記画像表示部にソフトウェアキーボードとして前記第１ソフトウェアキーボードを選択的に表示する。
【手続補正４】
【補正対象書類名】明細書
【補正対象項目名】００１１
【補正方法】変更
【補正の内容】
【００１１】
本発明の第五態様に係るプログラムは、タッチパネルとされた画像表示部を有し、前記画像表示部及び外部画像表示機器に画像を表示するコンピュータを、前記画像表示部とは異なる画像表示領域に画像を表示する外部画像表示制御手段と、第１ソフトウェアキーボードと前記第１ソフトウェアキーボードに比べてサイズが大きい第２ソフトウェアキーボードとを選択的に前記画像表示部に表示させるキーボード表示制御手段と、して機能させ、前記画像表示部に前記第１ソフトウェアキーボードが表示されている状態で、前記画像表示部に表示される画像とは異なる画像が前記画像表示領域に表示されるときに前記画像表示部に表示された前記第１ソフトウェアキーボードを前記第２ソフトウェアキーボードに切り替える。
本発明の第六態様に係るプログラムは、タッチパネルとされた画像表示部を備えるコンピュータを、前記画像表示部とは異なる画像表示領域に画像を表示する外部画像表示制御手段と、第１ソフトウェアキーボードと前記第１ソフトウェアキーボードに比べてサイズが大きい第２ソフトウェアキーボードとを選択的に前記画像表示部に表示させるキーボード表示制御手段と、して機能させ、前記キーボード表示制御手段は、前記画像表示部に前記第１ソフトウェアキーボードが表示されている状態で、前記外部画像表示制御手段が前記画像表示部に表示される画像とは異なる画像を前記画像表示領域に表示させるときに前記画像表示部に表示された前記第１ソフトウェアキーボードを前記第２ソフトウェアキーボードに切り替え、前記外部画像表示制御手段が前記画像表示部に表示される画像とは異なる画像を前記画像表示領域に表示させないときに前記画像表示部にソフトウェアキーボードとして前記第１ソフトウェアキーボードを選択的に表示する。
【手続補正５】
【補正対象書類名】明細書
【補正対象項目名】００６３
【補正方法】変更
【補正の内容】
【００６３】
例えば、上記実施形態では、タッチパネル１１に表示される画像とは異なる画像を外部画像表示機器に表示する場合に、ソフトウェアキーボード１２を入力キーの種類が多いフルＯＳＫ１２Ｂとする形態について説明したが、本発明は、これに限定されるものではない。
携帯型情報装置１０は、外部画像表示機器に画像を表示する場合、タッチパネル１１に表示されるソフトウェアキーボード１２を外部画像表示機器に画像を表示しない場合のソフトウェアキーボードとレイアウトを同一とし、タッチパネル１１の表示領域をより広く専有するようにサイズを拡大したソフトウェアキーボードとしてもよい。